(57)【特許請求の範囲】
【請求項１】
電流が流れることで発熱する複数の熱源と、前記熱源毎に設けられ前記熱源によって加熱される複数のバイメタルを備えたサーマルリレーに使用される付加機器において、
前記熱源毎に設けられ、前記熱源に並列に接続される複数の可変抵抗と、
前記複数の可変抵抗のそれぞれを前記サーマルリレーの前記熱源に接続するためのアダプタと、
を備えたことを特徴とする付加機器。
【請求項２】
前記可変抵抗毎に設けられ、前記可変抵抗および前記熱源に並列に接続される複数の増設用の可変抵抗を備えたことを特徴とする請求項１に記載の付加機器。
【請求項３】
前記熱源毎に設けられ、前記熱源および前記可変抵抗に流れる電流を検出する複数の電流検出器を備えたことを特徴とする請求項１または２に記載の付加機器。
【発明の詳細な説明】
【技術分野】
【０００１】
実施例はサーマルリレー用の付加機器に関する。
【背景技術】
【０００２】
サーマルリレーは複数の熱源と複数のバイメタルと接点機構を備えている。複数の熱源のそれぞれは電動機からの電流が流れることで発熱するものであり、複数のバイメタルのそれぞれは熱源によって加熱されるものである。接点機構は複数のバイメタルに連結されたものであり、複数のバイメタルが加熱されることで湾曲した場合にはバイメタルの湾曲が接点機構に伝達されることで接点機構が動作し、接点機構が動作することで電動機が過電流で昇温したことが検出される。
【先行技術文献】
【特許文献】
【０００３】
【特許文献１】特開２００７−２３４４９４号公報
【特許文献２】特開２００２−２０３４６５号公報
【特許文献３】特開平６−１９６０７６号公報
【発明の概要】
【発明が解決しようとする課題】
【０００４】
従来のサーマルリレーの場合にはバイメタルへの導線（熱源）の巻数または導線の太さまたはバイメタルの長さ等に応じて電流整定範囲が設定されており、電流整定範囲毎に定格が分けられている。従って、電動機の定格電流がサーマルリレーの電流整定範囲外に変更された場合にはサーマルリレーを定格が異なる別のものに交換する必要がある。
【課題を解決するための手段】
【０００５】
実施例の付加機器は電流が流れることで発熱する複数の熱源と、前記熱源毎に設けられ前記熱源によって加熱される複数のバイメタルを備えたサーマルリレーに使用される付加機器であり、前記熱源毎に設けられ前記熱源に並列に接続される複数の可変抵抗と、前記複数の可変抵抗のそれぞれを前記サーマルリレーの前記熱源に接続するためのアダプタと、を備えたものである。
【図面の簡単な説明】
【０００６】
【図１】実施例１を示す図（サーマルリレーとアダプタと分流ユニットの外観を示す図）
【図２】サーマルリレーとアダプタと分流ユニットの電気的な接続関係を示す図
【図３】アダプタの外観を示す図
【図４】実施例２を示す図１相当図
【図５】図２相当図
【図６】実施例３を示す図１相当図
【図７】図２相当図
【発明を実施するための形態】
【実施例１】
【０００７】
サーマルリレー１には、図１に示すように、アダプタ２を介して分流ユニット３が装着される。サーマルリレー１は電動機の主電流が異常に増加したときに生じる熱でバイメタルを変形させ、バイメタルの変形に応じて接点機構を切換えるものである。アダプタ２は分流ユニット３をサーマルリレー１に電気的および機械的に接続するものであり、サイズが相互に異なる複数のサーマルリレー１間で分流ユニット３を共用するためのものである。分流ユニット３はサーマルリレー１の電流整定範囲を可変するものであり、サーマルリレー１とアダプタ２と分流ユニット３の詳細構成は次の通りである。
１．サーマルリレー１について
サーマルケース１１内には、図２に示すように、複数のバイメタル１２が収納されている。これら複数のバイメタル１２のそれぞれは熱膨張率が互いに異なる一対の金属板間を接合してなるものであり、複数のバイメタル１２のそれぞれの一端部はサーマルケース１１内の静止部材に固定されている。これら複数のバイメタル１２のそれぞれは通常状態で直状をなすものであり、複数のバイメタル１２の他端部にはシフターが連結されている。このシフターはサーマルケース１１内に第１の位置および第２の位置間で変位可能に収納されたものであり、複数のバイメタル１２の通常状態で第１の位置に静止する。
【０００８】
複数のバイメタル１２のそれぞれには、図２に示すように、熱源に相当するコイル１３が巻装されている。これら複数のコイル１３のそれぞれは電動機の主電流が流れるものであり、電動機で過負荷が生じた場合にはコイル１３が発熱することに応じてバイメタル１２を加熱する。これら複数のバイメタル１２のそれぞれは加熱されることに応じて通常状態から湾曲状態となるものであり、シフターはバイメタル１２が通常状態から湾曲状態となることに応じて第１の位置から第２の位置に変位する。
【０００９】
サーマルケース１１内には常開接点および常閉接点が収納されており、常開接点および常閉接点のそれぞれは接点切換機構を介してシフターに連結されている。この接点切換機構はサーマルケース１１内に収納されたものであり、シフターの第１の位置で常閉接点を閉鎖すると共に常開接点を開放し、シフターの第２の位置で常閉接点を開放すると共に常開接点を閉鎖する。
２．アダプタ２について
図３の端子台２１はサーマルケース１１に装着されたものである。この端子台２１には複数の導電板２２および複数の雌側コネクタ２３が固定されており、複数の雌側コネクタ２３のそれぞれは端子台２１の内部で導電板２２に配線２４（図２参照）を介して接続されている。これら複数の導電板２２は端子台２１の一端部に沿って一列に並ぶものであり、複数の雌側コネクタ２３は複数の導電板２２に沿って配列されている。これら複数の導電板２２のそれぞれにはネジ２５を介して端子２６（図２参照）が接続されており、複数の端子２６のそれぞれは、図２に示すように、配線２７を介してコイル１３の一端部に接続されている。
【００１０】
端子台２１には、図３に示すように、複数の導電板２８および複数の雌側コネクタ２９が固定されており、複数の雌側コネクタ２９のそれぞれは端子台２１の内部で導電板２８に配線３０（図２参照）を介して接続されている。これら複数の導電板２８は端子台２１の他端部に沿って一列に並ぶものであり、複数の雌側コネクタ２９は複数の導電板２８に沿って配列されている。これら複数の導電板２８のそれぞれにはネジ３１を介して端子３２（図２参照）が接続されており、複数の端子３２のそれぞれは、図２に示すように、配線３３を介してコイル１３の他端部に接続されている。
３．分流ユニット３について
ユニットケース４１内には、図２に示すように、複数の可変抵抗器４２が収納されている。これら複数の可変抵抗器４２は、図１に示すように、回転可能なダイアル４３を有するものであり、ダイアル４３はユニットケース４１の外部に操作可能に突出している。これら複数の可変抵抗器４２のそれぞれはダイアル４３の回転量に応じて抵抗値が変化するものであり、複数の可変抵抗器４２のそれぞれの一端部には雄側コネクタ４４が接続されている。これら複数の雄側コネクタ４４のそれぞれはユニットケース４１の外部に突出するものであり、複数の可変抵抗器４２のそれぞれの他端部には雄側コネクタ４５が接続され、複数の雄側コネクタ４５のそれぞれはユニットケース４１の外部に突出している。これら複数の可変抵抗器４２のそれぞれは可変抵抗に相当する。
【００１１】
複数の雄側コネクタ４４のそれぞれは、図１に示すように、アダプタ２の雌側コネクタ２３に着脱可能に嵌合されるものであり、複数の雄側コネクタ４５のそれぞれはアダプタ２の雌側コネクタ２９に着脱可能に嵌合されるものである。これら複数の可変抵抗器４２のそれぞれは雄側コネクタ４４および雌側コネクタ２３間が嵌合されると共に雄側コネクタ４５および雌側コネクタ２９間が嵌合されることに応じてサーマルスイッチ１のコイル１３にアダプタ２を介して並列に接続されるものであり、サーマルリレー１にアダプタ２を介して分流ユニット３が接続された状態では電動機からの主電流が複数の可変抵抗器４２のそれぞれに分流する。
【００１２】
上記実施例１によれば次の効果を奏する。
サーマルリレー１の複数のコイル１３のそれぞれに分流ユニット３の可変抵抗器４２を並列に接続したので、電動機からの電流が複数の可変抵抗器４２のそれぞれに分流する。従って、複数の可変抵抗器４２のそれぞれのダイアル４３を回転操作することでサーマルリレー１の電流整定範囲を調整することができるので、電動機の定格電流が変更された場合であってもサーマルリレー１を交換することなくそのまま使用することができる。
【００１３】
分流ユニット３の複数の可変抵抗器４２のそれぞれをサーマルリレー１のコイル１３にアダプタ２を介して接続した。このサーマルリレー１は電流整定範囲に応じてサーマルケース１１のサイズが異なるものの分流ユニット３をサーマルケース１１にアダプタ２を介して装着したので、電流整定範囲が異なるサーマルリレー１間で共通の分流ユニット３を使用することができる。
【００１４】
上記実施例１においては、分流ユニット３をサーマルスイッチ１に直接的に接続しても良い。
上記実施例１においては、複数の可変抵抗器４２をユニットケース４１介してユニット化することなく、複数の可変抵抗器４２のそれぞれをサーマルリレー１のコイル１３に配線を介して直接的に接続しても良い。
【実施例２】
【００１５】
アダプタ２および分流ユニット３間には、図４に示すように、増設用の分流ユニット４が介在されている。この分流ユニット４は、図５に示すように、ユニットケース４１内に複数の可変抵抗器４２を収納したものであり、複数の可変抵抗器４２のそれぞれのダイアル４３はユニットケース４１の外部に操作可能に突出し、複数の可変抵抗器４２のそれぞれの一端部には雄側コネクタ４４が接続され、複数の可変抵抗器４２のそれぞれの他端部には雄側コネクタ４５が接続されている。この分流ユニット４の複数の可変抵抗器４２のそれぞれは増設用の可変抵抗に相当する。
【００１６】
分流ユニット４のユニットケース４１には、図４に示すように、複数の雌側コネクタ４６が一列に固定されており、図５に示すように、複数の雌側コネクタ４６のそれぞれはユニットケース４１の内部で可変抵抗器４２の一端部に配線４７を介して接続されている。このユニットケース４１には、図４に示すように、複数の雌側コネクタ４８が一列に固定されており、図５に示すように、複数の雌側コネクタ４８のそれぞれはユニットケース４１の内部で可変抵抗器４２の他端部に配線４９を介して接続されている。
【００１７】
分流ユニット４の複数の雄側コネクタ４４のそれぞれは、図５に示すように、アダプタ２の雌側コネクタ２３内に着脱可能に嵌合され、複数の雄側コネクタ４５のそれぞれはアダプタ２の雌側コネクタ２９内に着脱可能に嵌合される。この分流ユニット４の複数の雌側コネクタ４６内のそれぞれは分流ユニット３の雄側コネクタ４４が着脱可能に嵌合され、複数の雌側コネクタ４８内のそれぞれは分流ユニット３の雄側コネクタ４５が着脱可能に嵌合される。即ち、分流ユニット４はアダプタ２および分流ユニット３間に電気的および機械的に接続されるものであり、分流ユニット４の複数の可変抵抗器４２のそれぞれはサーマルスイッチ１のコイル１３および分流ユニット３の可変抵抗器４２に並列に接続される。
【００１８】
上記実施例２によれば次の効果を奏する。
増設用の分流ユニット４の複数の可変抵抗器４２のそれぞれをサーマルリレー１のコイル１３および分流ユニット３の可変抵抗器４２に並列に接続したので、分流ユニット３の複数のダイアル４３および分流ユニット４の複数のダイアル４３のそれぞれを回転操作することでサーマルリレー１の電流整定範囲を大きく調整することができる。従って、電動機の定格電流が大きく変更された場合であってもサーマルリレー１を交換することなくそのまま使用することができる。
【実施例３】
【００１９】
アダプタ２には、図６に示すように、分流ユニット４が着脱可能に接続されている。この分流ユニット４は複数の雄側コネクタ４４のそれぞれをアダプタ２の雌側コネクタ２３内に嵌合し、複数の雄側コネクタ４５のそれぞれをアダプタ２の雌側コネクタ２９内に嵌合することでサーマルリレー１にアダプタ２を介して接続されたものであり、分流ユニット４には電流計ユニット５が着脱可能に接続される。この電流計ユニット５はサーマルスイッチ１のコイル１３および分流ユニット４の可変抵抗器４２に流れる電流の大きさを計測するものであり、次のように構成されている。
１．電流計ユニット５について
コネクタケース５１には、図６に示すように、複数の雄側コネクタ５２および複数の雄側コネクタ５３が固定されている。複数の雄側コネクタ５２のそれぞれは分流ユニット４の雌側コネクタ４６内に着脱可能に嵌合されるものであり、配線５４を介して商用交流電源に接続されている。複数の雄側コネクタ５３のそれぞれは分流ユニット４の雌側コネクタ４８内に着脱可能に嵌合されるものであり、配線５５を介して商用交流電源に接続されている。
【００２０】
電流計ケース６１には、図６に示すように、複数の電流計６２が装着されている。これら複数の電流計６２のそれぞれは目盛板６３および指針６４を有するものであり、複数の電流計６２のそれぞれには、図７に示すように、配線６５を介して変流器６６が接続されている。これら複数の変流器６６のそれぞれは電流計ケース６１の内部で配線５４に介在されたものであり、複数の電流計６２のそれぞれの指針６４はサーマルスイッチ１のコイル１３および分流ユニット４の可変抵抗器４２に流れる電流値を指し示す。これら複数の電流計６２のそれぞれは電流検出器に相当する。
【００２１】
上記実施例３によれば次の効果を奏する。
サーマルリレー１のコイル１３および分流ユニット３の可変抵抗器４２に流れる電流を検出する電流計６２を設けた。従って、作業者が電流計６２の指針６４を見ながら分流ユニット４の複数のダイアル４３を操作することでサーマルリレー１の複数のコイル１３のそれぞれに互いに同一の大きさの電流を流すことができるので、複数の相間での抵抗値のばらつきを補正することができる。
【００２２】
以上、本発明の実施例を説明したが、この実施例は例として提示したものであり、発明の範囲を限定することは意図していない。これら新規な実施例は、その他の様々な形態で実施されることが可能であり、発明の要旨を逸脱しない範囲で、種々の省略、置き換え、変更を行うことができる。これら実施例やその変形は発明の範囲や要旨に含まれると共に特許請求の範囲に記載された発明とその均等の範囲に含まれる。
【符号の説明】
【００２３】
１はサーマルリレー、２はアダプタ、１２はバイメタル、１３はコイル（熱源）、４２は可変抵抗器（可変抵抗）、６２は電流計（電流検出器）である。
【図１】
0006462282.tif 000002
【図２】
0006462282.tif 000003
【図３】
0006462282.tif 000004
【図４】
0006462282.tif 000005
【図５】
0006462282.tif 000006
【図６】
0006462282.tif 000007
【図７】
0006462282.tif 000008